(57)【特許請求の範囲】
【請求項１】
原子力発電プラントの設計図に基づき作成された３次元図面で目的地までの予測経過時間を含む経路を表示部に表示させ、事故が発生した場合に、前記３次元図面に前記原子力発電プラント内の該当箇所に関わる放射線量を含む入力情報を付加して前記表示部に表示し、前記経路の異常の発生に基づき前記目的地までの前記予測経過時間を算出し直して前記表示部に表示することを特徴とする表示装置。
【請求項２】
前記入力情報は、前記３次元図面の該当箇所に関わる文字データであることを特徴とする請求項１に記載の表示装置。
【請求項３】
前記入力情報は、前記３次元図面の該当箇所を撮影した撮像データであることを特徴とする請求項１に記載の表示装置。
【請求項４】
前記入力情報は、前記３次元図面の該当箇所に記号または図形を付加し、当該記号または図形に音声データを関連付けることを特徴とする請求項１に記載の表示装置。
【請求項５】
前記３次元図面の該当箇所に記号または図形を付加し、当該記号または図形に対して前記入力情報を関連付けることを特徴とする請求項１から４のいずれか１つに記載の表示装置。
【請求項６】
前記入力情報が前記３次元図面の同じ該当箇所に関わり複数ある場合、前記３次元図面の該当箇所に記号または図形を付加し、当該記号または図形に関連づけて各入力情報を纏めて付加することを特徴とする請求項１に記載の表示装置。
【請求項７】
前記入力情報が前記３次元図面の同じ該当箇所に関わり複数ある場合、最新の入力情報を上に重ねて表示することを特徴とする請求項１から６のいずれか１つに記載の表示装置。
【請求項８】
前記入力情報が前記３次元図面の同じ該当箇所に関わり複数ある場合、最新の入力情報のみを表示することを特徴とする請求項１から６のいずれか１つに記載の表示装置。
【請求項９】
前記３次元図面は、前記入力情報を基に加工したものであることを特徴とする請求項１から８のいずれか１つに記載の表示装置。
【請求項１０】
可搬式端末に前記表示部が設けられることを特徴とする請求項１から９のいずれか１つに記載の表示装置。
【請求項１１】
前記可搬式端末が情報取得部を備えることを特徴とする請求項１０に記載の表示装置。
【発明の詳細な説明】
【技術分野】
【０００１】
本発明は、例えば、プラント内における経路の情報の表示を行う表示装置に関するものである。
【背景技術】
【０００２】
例えば、原子力発電プラントは、原子炉、蒸気タービン、発電機などにより構成されている。そして、原子炉として加圧水型原子炉（ＰＷＲ：Pressurized  Water  Reactor）を適用した場合、加圧水型原子炉は、軽水を原子炉冷却材および中性子減速材として使用し、炉心全体にわたって沸騰しない高温高圧水を生成する。蒸気発生器は、この高温高圧水（一次冷却水）と二次冷却水との間で熱交換し、蒸気を生成する。そして、蒸気タービンは、この蒸気によりタービンを駆動し、発電機はこの駆動力により発電する。
【０００３】
このような原子力発電プラントにて、過酷事故（シビアアクシデント）が発生した場合、各所に災害対策室を設け、事故の状況を把握し、対策を講じる必要がある。一般的に、災害対策室は、大人数の関係者を召集し、プラントの状況把握や対策フローなどの指揮命令に必要な情報を提示する。
【０００４】
一般的な意思決定支援システムとしては、例えば、特許文献１に記載されたものがある。特許文献１は、意思決定に必要な情報を、意思決定支援装置からネットワークを介して各種端末に配信するために、意思決定の原因となるイベントをイベント管理部で検知し、イベントに応じたタスク（業務）割当ておよび通知すべき情報を、イベントに応じて情報相関管理部で管理される各情報の相関関係を用いて決定することが示されている。
【０００５】
また、災害時に避難誘導する技術として、特許文献２から４に記載されたものがあり、特許文献２では、コンピュータグラフィックスを利用することが示されている。
【０００６】
また、災害時に携帯端末（移動端末）を利用するものとして、例えば、特許文献４から６に記載されたものがある。特許文献４から６は、災害情報管理装置がネットワークを介して携帯端末から端末情報を所得し、この端末情報から生成した情報を携帯端末に送信することが示されている。
【先行技術文献】
【特許文献】
【０００７】
【特許文献１】特開２０１３−０８８８２９号公報
【特許文献２】特開２００３−１７７６８６号公報
【特許文献３】特開２００６−２９２４０２号公報
【特許文献４】特開２０１１−２１０２０５号公報
【特許文献５】特開２０１４−０７８０７０号公報
【特許文献６】国際公開第２０１４／０５７８３５号
【発明の概要】
【発明が解決しようとする課題】
【０００８】
ところで、プラントにおいては、過酷事故が発生した場合、避難はもちろんであるがプラント内の点検のために確認を行う必要が生じる。このような場合、確認すべき目的地に闇雲に向かっても時々刻々の状況変化により目的地に到達できないおそれがある。従って、プラント内の目的地までの経路がどのような状況であるかを見極めつつ目的地にたどり着けるかを予め模擬できることが望まれている。
【０００９】
本発明は、上述した課題を解決するものであり、プラント内における経路の情報を模擬可能に表示することのできる表示装置を提供することを目的とする。
【課題を解決するための手段】
【００１０】
上記の目的を達成するための本発明の表示装置は、プラントの設計図に基づき作成された３次元図面を表示部に表示させ、かつ前記３次元図面に入力情報を付加して前記表示部に表示することを特徴とする。
【００１１】
この表示装置によれば、３次元図面に入力情報を付加して表示部に表示することで、プラントに事故が発生した場合、またはプラントに事故が発生した場合を想定し、３次元図面で表される入力情報に従ってプラント内の経路を通過する模擬を行うことができる。
【００１２】
本発明の表示装置では、前記入力情報は、前記３次元図面の該当箇所に関わる文字データであることを特徴とする。
【００１３】
この表示装置によれば、入力情報としての文字データに従ってプラント内の経路を通過する模擬を行うことができる。
【００１４】
本発明の表示装置では、前記入力情報は、前記３次元図面の該当箇所を撮影した撮像データであることを特徴とする。
【００１５】
この表示装置によれば、入力情報としての撮像データに従ってプラント内の経路を通過する模擬を行うことができる。
【００１６】
本発明の表示装置では、前記入力情報は、前記３次元図面の該当箇所に関わる音声データであることを特徴とする。
【００１７】
この表示装置によれば、入力情報としての音声データに従ってプラント内の経路を通過する模擬を行うことができる。
【００１８】
本発明の表示装置では、前記３次元図面の該当箇所に記号または図形を付加し、当該記号または図形に対して前記入力情報を関連付けることを特徴とする。
【００１９】
この表示装置によれば、入力情報が多数ある場合、記号または図形によりこれらの入力情報をそれぞれ集約することで３次元図面および入力情報を見やすくすることができる。
【００２０】
本発明の表示装置では、前記入力情報が前記３次元図面の同じ該当箇所に関わり複数ある場合、前記３次元図面の該当箇所に記号または図形を付加し、当該記号または図形に関連づけて各入力情報を纏めて付加することを特徴とする。
【００２１】
この表示装置によれば、３次元図面の同じ該当箇所に関わり複数ある入力情報を記号または図形により集約することで３次元図面および入力情報を見やすくすることができる。
【００２２】
本発明の表示装置では、前記入力情報が前記３次元図面の同じ該当箇所に関わり複数ある場合、最新の入力情報を上に重ねて表示することを特徴とする。
【００２３】
この表示装置によれば、最新の入力情報を見やすくすることができる。
【００２４】
本発明の表示装置では、前記入力情報が前記３次元図面の同じ該当箇所に関わり複数ある場合、最新の入力情報のみを表示することを特徴とする。
【００２５】
この表示装置によれば、最新の入力情報を見やすくすることができる。
【００２６】
本発明の表示装置では、前記３次元図面は、前記入力情報を基に加工したものであることを特徴とする。
【００２７】
この表示装置によれば、入力情報を基に３次元図面を加工することで、より現実的に入力情報を知らせることができる。
【００２８】
本発明の表示装置では、可搬式端末に前記表示部が設けられることを特徴とする。
【００２９】
この表示装置によれば、可搬式端末をプラント内に持ち込んで実際の経路と３次元図面とを照らし合わせながら経路を進むことができる。
【００３０】
本発明の表示装置では、前記可搬式端末が情報取得部を備えることを特徴とする。
【００３１】
この表示装置によれば、可搬式端末をプラント内に持ち込んで、その状況を情報取得部により取得することで、最新の情報を取得することができる。
【発明の効果】
【００３２】
本発明によれば、プラント内における経路の情報を模擬可能に表示することができる。
【図面の簡単な説明】
【００３３】
【図１】図１は、本発明に係る実施形態の表示装置を表す概略構成図である。
【図２】図２は、本発明に係る実施形態の表示装置の表示例を表す概略図である。
【図３】図３は、本発明に係る実施形態の表示装置の表示例を表す概略図である。
【図４】図４は、本発明に係る実施形態の表示装置の表示例を表す概略図である。
【図５】図５は、本発明に係る実施形態の表示装置の表示例を表す概略図である。
【図６】図６は、本発明に係る実施形態の表示装置の表示例を表す概略図である。
【図７】図７は、本発明に係る実施形態の表示装置の表示例を表す概略図である。
【図８】図８は、本発明に係る実施形態の表示装置の表示例を表す概略図である。
【図９】図９は、本発明に係る実施形態の別の表示装置を表す概略構成図である。
【図１０】図１０は、本発明に係る実施形態の別の表示装置を表す概略構成図である。
【発明を実施するための形態】
【００３４】
以下に添付図面を参照して、本発明に係る意思決定支援システムの好適な実施形態を詳細に説明する。なお、この実施形態により本発明が限定されるものではなく、また、実施形態が複数ある場合には、各実施形態を組み合わせて構成するものも含むものである。
【００３５】
図１は、本実施形態の表示装置を表す概略構成図である。
【００３６】
表示装置１０は、会議システムに用いられる。会議システムは、本実施形態では、緊急時の意思決定支援システムを例示する。なお、意思決定支援システムは、例えば、原子力発電プラントに配置され、この原子力発電プラントの緊急時において様々な事象に対応する意思を決定する会議を実施するにあたりこれを支援するためのシステムである。
【００３７】
図１に示すように、表示装置１０は、表示部１１と操作部１２と、Ｉ／Ｆ部４１と、情報管理部４２と、データベース４３と、を有している。また、本実施形態の表示装置１０は、入力機器４４と、出力機器４５とを有している。また、本実施形態の表示装置１０は、原子力発電プラントにおける緊急時の意思決定支援システムとして適用される場合、シミュレーション部４６をさらに有する。
【００３８】
表示部１１は、例えば、会議に関わる複数の人員が見ることのできる大型のディスプレイである。操作部１２は、表示部１１の表示を操作したり、当該表示に伴う様々な情報を入力したりするものである。操作部１２は、表示部１１の画面に設けられたタッチパネル、または表示部１１に接続されたマウスやキーボードがある。
【００３９】
Ｉ／Ｆ部４１は、入出力部として構成され、各種データの入出力を行うものである。具体的に、Ｉ／Ｆ部４１は、入力機器４４および出力機器４５が接続される。入力機器４４は、パーソナルコンピュータやモバイル端末（タブレット端末）などがある。この入力機器４４は、電話で受けた情報やファクシミリで受けた情報などをＩ／Ｆ部４１に入力することができる。また、入力機器４４は、複数あってもよい。出力機器４５は、プリンタ装置やモバイル端末（タブレット端末）などがある。
【００４０】
また、Ｉ／Ｆ部４１は、表示装置１０が原子力発電プラントにおける緊急時の意思決定支援システムとして適用される場合、緊急時運転パラメータ伝送システム３３を介してプラントシステム３２が接続されると共に、サブシステム３１が接続されている。プラントシステム３２は、原子炉の各種データ（原子炉内の各種温度や流量などのデータ）を管理するものであり、必要に応じて原子力発電プラントの各種データをＩ／Ｆ部４１に入力する。緊急時運転パラメータ伝送システム３３は、プラントの緊急時に各種の運転パラメータをＩ／Ｆ部４１に入力する。サブシステム３１は、原子力発電プラント以外の各種データ（気象データなど）を管理するものであり、必要に応じてこの各種データをＩ／Ｆ部４１に入力する。
【００４１】
情報管理部４２は、外部から入力された各種データを加工することで、表示部１１に表示させる表示データを作成する。また、情報管理部４２は、操作部１２の操作に基づき、表示部１１の表示を切り替える。また、情報管理部４２は、入力情報を表示部１１に表示されている表示データに付加して表示部１１に表示させる。
【００４２】
データベース４３は、外部から入力した各種データや情報管理部４２が生成した表示データなどを記憶するものである。特に、本実施形態において、データベース４３は、プラントの設計図に基づき作成された３次元図面の表示データが予め記憶されている。データベース４３に記憶されるデータは、情報管理部４２が取り出すことができる。
【００４３】
シミュレーション部４６は、表示装置１０が原子力発電プラントにおける緊急時の意思決定支援システムとして適用される場合、情報管理部４２が収集したプラントデータに基づいてプラントの経時的変化を予測演算してプラント予測データを生成するものである。
【００４４】
このように構成された表示装置１０は、緊急時の意思決定支援システムとして適用される。例えば、過酷事故（シビアアクシデント）が発生した場合、まず、プラントシステム３２から原子炉トリップ信号が入力される。すると、情報管理部４２は、サブシステム３１やプラントシステム３２や緊急時運転パラメータ伝送システム３３から必要なプラントデータを収集する場合もあり、その場合は、収集したプラントデータに基づいて表示データを生成し、この表示データを表示部１１に表示する。また、情報管理部４２は、収集したプラントデータに基づいてシミュレーション部４６でプラント予測データを生成させ、このプラント予測データに基づいて表示データを生成し、この表示データを表示部１１に表示する。また、情報管理部４２は、入力機器４４から入力された情報を加工して表示データを生成し、この表示データを表示部１１に表示する。
【００４５】
図２から図８は、本実施形態の表示装置の表示例を表す概略図である。
【００４６】
緊急時の意思決定の事項のうち、プラントにおいては、過酷事故が発生した場合、プラント内の点検のために確認を行う必要が生じる。このような場合、確認すべき目的地までの経路がどのような状況であるかを見極めつつ目的地にたどり着けるかを予め検討することが望まれる。
【００４７】
この場合、本実施形態の表示装置１０は、操作部１２の操作により、情報管理部４２がデータベース４３から３次元図面の表示データを取り出し、図２に示すように、表示部１１に表示する。図２に示す表示データは、その一例として、点検作業員が現在いる場所から目的地までの経路の一部である。この図２において、左上の時間表示は、点検作業員が現在いる場所から目的地までの予測経過時間の表示データである。また、図２において、矢印は、目的地までの経路であり、ここでは、下側の通路から階段を上って上側の通路を通過する経路である。そして、この経路に異常がなければ、上記の予測経過時間で目的地に到達できることが示されている。
【００４８】
図３に示す表示データは、図２と同じ場所の経路の一部であるが、事故により経路に異常が発生した場合の例である。この表示データは、入力情報が付加されている。入力情報は、表示された箇所に実際に行った作業員またはロボットからの報告があり、この報告を入力機器４４により入力される。図３では、入力情報として文字データが入力された例を示している。情報管理部４２は、この入力情報である文字データを、３次元図面の該当箇所を指し示す枠（吹出）１１Ａに記すことで表示データに付加する。また、情報管理部４２は、異常の発生に基づき、点検作業員が現在いる場所から目的地までの予測経過時間を算出し直して表示データとして表示部１１に表示する。さらに、情報管理部４２は、新たな入力情報がある場合に、当該入力情報を表示データに付加する。図３では、表示された箇所に実際に行った作業員からの報告により明らかになった当該箇所の温度と湿度が入力機器４４により入力情報として入力され、この入力情報を表示データに付加した例を示している。なお、温度や湿度の他、図には明示しないが、放射線量が入力情報として表示データに付加されてもよい。なお、図３では、下から３段目の階段が破損している旨の文字データを付加してある。例えば、階段が通過できず梯子などの補助具があれば通過できる場合、そのような入力情報を付加し、補助具の用意を促すこともできる。なお、入力情報には、入力情報をもとに加工した情報も含まれる。
【００４９】
図４に示す表示データは、図３と同様に事故により経路に異常が発生した場合の例である。ここでの入力情報は、その内容は図３と同様であるが、３次元図面の該当箇所を撮影した画像または映像の撮像データである。この撮像データは、入力機器４４により入力され、情報管理部４２は、３次元図面の該当箇所を指し示す枠１１Ａに記すことで表示データに付加する。なお、撮像データは、アイコン（図形または記号）で表示し、このアイコンを操作部１２により選択することで撮像データが見られるようにしてもよい。なお、図４の撮像データと、図３の文字データを共に表示データに付加してもよい。
【００５０】
図５に示す表示データは、図３と同様に事故により経路に異常が発生した場合の例である。ここでの入力情報は、その内容は図３と同様であるが、３次元図面の該当箇所に関わる音声データである。この音声データは、入力機器４４により入力され、情報管理部４２は、３次元図面の該当箇所を指し示す枠１１Ａにアイコン（図形または記号）１１Ｂで記すことで表示データに付加する。このアイコンを操作部１２により選択することで音声データが聞ける。なお、図５の音声データと、図３の文字データを共に表示データに付加してもよい。
【００５１】
図６に示す表示データは、図３と同様に事故により経路に異常が発生した場合の例である。ここでの入力情報は、その内容は図３と同様であり、図３に示す文字データや、図４に示す撮像データや、図５に示す音声データである。この入力情報は、入力機器４４により入力され、情報管理部４２は、入力情報をアイコン（図形または記号）１１Ｃに関連づけて３次元図面の該当箇所に示すことで表示データに付加する。アイコン１１Ｃは、図６では×記号であるが、これに限定されない。そして、このアイコン１１Ｃを操作部１２により選択することで、図３から図５に示す表示がなされる。
【００５２】
図７に示す表示データは、図３と同様に事故により経路に異常が発生した場合の例である。ここでの入力情報は、その内容は図３と同様であり、図３に示す文字データや、図４に示す撮像データや、図５に示す音声データが３次元図面の同じ該当箇所に関わり複数ある。この場合、情報管理部４２は、これらのデータを図７に示すようにアイコン１１Ｃに関連づけて３次元図面の該当箇所に示すことで表示データに付加する。そして、このアイコン１１Ｃを操作部１２により選択することで、各データが表示される。
【００５３】
また、図には明示しないが、入力情報が３次元図面の同じ該当箇所に関わり複数ある場合、情報管理部４２は、最新の入力情報を上に重ねて表示する。
【００５４】
また、図には明示しないが、入力情報が３次元図面の同じ該当箇所に関わり複数ある場合、情報管理部４２は、最新の入力情報のみを表示する。
【００５５】
図８に示す表示データは、図３と同様に事故により経路に異常が発生した場合の例である。ここでの入力情報は、その内容は図３と同様であり、３次元図面の該当箇所の図自体を入力情報に合わせて加工したものである。この加工は、３次元図面の該当箇所を撮影した撮像データに基づき、入力機器４４により入力され、３次元図面自体の該当箇所を加工することで表示データに付加する。また、３次元図面を加工したことを分かりやすくするため、加工した箇所に入力情報としてアイコン（図形または記号）１１Ｄを示すことで表示データに付加する。アイコン１１Ｄは、図８では！記号であるが、これに限定されない。また、このアイコン１１Ｄを操作部１２により選択することで、図３から図５に示す表示がなされるようにしてもよい。
【００５６】
図９は、本実施形態の別の表示装置を表す概略構成図である。図９に示す表示装置１０は、可搬式端末１３を有することが上述した実施形態と異なり、その他の構成は同様である。従って、図９に係る説明では、上述した実施形態と同等の構成に同一の符号を付して説明を省略する。
【００５７】
可搬式端末１３は、独自にバッテリーを有して持ち運んで使用することのできるモバイル端末（タブレット端末）として構成されている。可搬式端末１３は、Ｉ／Ｆ部４１との間で無線回線により相互にデータを送受信できるように接続されている。なお、可搬式端末１３は、データを保持すると共に、有線接続された際にデータ送受信が可能である。
【００５８】
この可搬式端末１３は、表示部１３Ａと操作部１３Ｂとを有する。表示部１３Ａは、可搬式であるため比較的小型のディスプレイである。操作部１３Ｂは、表示部１３Ａの表示を操作したり、当該表示に伴う様々な情報を入力したりするものである。操作部１３Ｂは、表示部１３Ａの画面に設けられたタッチパネル、または表示部１３Ａに接続されたマウスやキーボードがある。
【００５９】
この可搬式端末１３は、操作部１３Ｂの操作により、情報管理部４２がデータベース４３から３次元図面の表示データを取り出し、図２に示すように、表示部１３Ａに表示する。また、情報管理部４２は、図３から図８に示すように、入力情報を３次元図面である表示データに付加して表示部１３Ａに表示する。このように、可搬式端末１３においても、３次元図面を表示部１３Ａに表示させ、表示部１３Ａに表示される表示データに入力情報を付加して表示部１３Ａに表示する。
【００６０】
また、可搬式端末１３は、情報取得部１３Ｃを有していてもよい。情報取得部１３Ｃは、例えば、カメラ、マイクなどである。即ち、可搬式端末１３は、カメラにより撮影した画像や映像などの撮影データを入力情報として取得することができる。また、可搬式端末１３は、マイクにより録音した音声データを入力情報として取得することができる。また、可搬式端末１３は、表示部１３Ａに表示した３次元図面上で自身の位置を示せるように位置データを入力情報として取得することができる。可搬式端末１３は、これらの入力情報を情報管理部４２に送信し、データベース４３に記憶することができる。
【００６１】
図１０は、本実施形態の別の表示装置を表す概略構成図である。図１０に示す実施形態は、同様の表示装置が複数あって符号１０Ａ，１０Ｂ，１０Ｃ，１０Ｄ…を付し、これら表示装置１０Ａ，１０Ｂ，１０Ｃ，１０Ｄ…が原子炉に関する総合的な災害時に活用するネットワーク（以下、ネットワークという）５０を介して相互に各種データを送受信できるように接続されている点が上述した実施形態と異なり、その他の構成は同様である。従って、図１０に係る説明では、上述した実施形態と同等の構成に同一の符号を付して説明を省略する。なお、図１０では、表示装置１０Ａが図９と同様に可搬式端末１３を有することとして示しているが、図１と同様に可搬式端末１３がないことも含む。
【００６２】
表示装置１０Ａ，１０Ｂ，１０Ｃ，１０Ｄ…は、原子力発電プラントにおける緊急時の意思決定支援システムとして用いられ、それぞれ原子力発電プラント、電力会社、地方自治体、国（政府政策機関、規制庁、オフサイトセンター）、プラントメーカに配置される。
【００６３】
各表示装置１０Ａ，１０Ｂ，１０Ｃ，１０Ｄ…は、同期管理部４７を有する。同期管理部４７は、Ｉ／Ｆ部４１と情報管理部４２との間でそれぞれに接続されていると共に、ネットワーク５０に接続され、他の表示装置との間で情報の共有を行うものである。例えば、同期管理部４７は、ネットワーク５０を通して各種のデータの送受信を行い、データの更新を行う。また、同期管理部４７は、ネットワーク５０が切断され、所定期間が経過して再びネットワーク５０が接続されたとき、他の表示装置から受信したデータに基づいてデータの更新を行う。即ち、各表示装置１０Ａ，１０Ｂ，１０Ｃ，１０Ｄ…は、ネットワーク５０に接続されることで、各種の情報を共有可能に構成されている。また、データベース４３は、各表示装置１０Ａ，１０Ｂ，１０Ｃ，１０Ｄ…にそれぞれ接続されていてもよいが、図１０に示すように、単一のデータベース４３がネットワーク５０に接続され、各表示装置１０Ａ，１０Ｂ，１０Ｃ，１０Ｄ…がネットワーク５０を介して各種の情報を共有可能に構成されていてもよい。
【００６４】
また、情報管理部４２は、緊急時に必要な緊急時情報に基づいて表示データを生成すると共に、ネットワーク５０を介して緊急時情報を共有することができる。ここで、緊急時情報とは、例えば、下記に記載するものである。
１．人員リソース管理情報−入力機器４４を用いて入力
２．後方支援（物資運搬）情報−入力機器４４を用いて入力
３．放射線モニタリング（周辺、所内、建物内）情報−モニタリングポストからネットワーク５０を通して入力
４．気象情報、風向情報、地震情報、津波情報−ネットワーク５０を通して入力
５．プラント内の被害状況（カメラ映像、崖崩れ、復旧状況）情報−入力機器４４や操作部１２や可搬式端末１３の操作部１３Ｂおよび情報取得部１３Ｃを用いて入力
６．プラント炉心情報（燃料温度、炉内温度、炉内圧力等）−緊急時運転パラメータ伝送システム３３から入力
７．プラント状況の進展予測情報−シミュレーション部４６から入力
８．プラント周辺の送電情報−電力会社からネットワーク５０を通して入力
９．プラント内対応状況（可搬式設備の状況）情報−入力機器４４を用いて入力
１０．原子炉設計図面など保管義務のある資料の情報−データベース４３からネットワーク５０を通して入力
１１．タスク管理情報−入力機器４４を用いて入力
１２．ＦＡＸ画像情報など−入力機器４４を用いて入力
【００６５】
そして、情報管理部４２は、この緊急時情報のうちの意思決定に必要な情報だけを選択して表示データを生成すると共に、ネットワーク５０を介して他の表示装置と表示データを共有する。即ち、緊急時の意思決定支援システムとして適用される表示装置１０Ａ，１０Ｂ，１０Ｃ，１０Ｄ…は、原子力発電プラント、電力会社、地方自治体、国、プラントメーカなど、異なる位置に配置されていることから、必要となる緊急時情報も異なる。そのため、表示装置１０Ａ，１０Ｂ，１０Ｃ，１０Ｄ…は、予め、緊急時情報に優先度を付け、優先度の高い情報だけを選択して表示する。
【００６６】
この場合、情報管理部４２が選択する意思決定に必要な情報は、リアルタイム情報を含めた最新の情報を含んでいる。即ち、各種の緊急時情報は、随時、入力機器４４や操作部１２や可搬式端末１３の操作部１３Ｂやネットワーク５０から情報管理部４２に入力されるが、日時と共にデータベース４３に保存しており、常に最新のものを表示する。リアルタイム情報としては、緊急時運転パラメータ伝送システム３３から入力されるプラント炉心情報（燃料温度、炉内温度、炉内圧力等）、ネットワーク５０を通して入力される放射線モニタリング（周辺、所内、建物内）情報などがある。
【００６７】
また、情報管理部４２が選択する意思決定に必要な情報は、所定の優先表示基準を満たした情報を含み、この情報に基づいた表示データを表示部１１に優先表示させる。ここで、優先表示基準とは、危険度の高い情報や重要度の高い情報である。例えば、プラントにて、燃料温度や炉内温度や炉内圧力の各変化率が予め設定された基準値を超えたときにこの情報を優先的に表示する。また、降雨量や風速や震度などの気象状況が大幅に変動したときにこの情報を優先的に表示する。また、放射線モニタリング（周辺、所内、建物内）情報の一部である空間線量率が予め設定された基準値を超えたときにこの情報を優先的に表示する。また、予め設定された指示機関（例えば、国）からの情報を優先的に表示する。
【００６８】
情報管理部４２は、所定の優先表示基準を満たした情報を表示部１１に表示するとき、その優先度（重要度）に応じて表示部１１に強調表示（例えば、表示自体が飛び出すようにポップアップさせる）する。
【００６９】
また、情報管理部４２は、選択する意思決定に必要な情報をデータベース４３に記憶された緊急時情報を対応策の項目ごとに整理した表示データとして表示部１１に表示する。ここで、対応策の項目とは、例えば、以下に記載するものである。
１．避難時期
２．避難ルート
３．避難場所
４．作業手順
５．人員配置
６．作業者ルート
７．電源ルート
８．運搬物資の種類と数
【００７０】
データベース４３は、多数の緊急時情報が記憶されているが、情報管理部４２は、データベース４３に記憶されている多数の緊急時情報から、各対応策の項目を決定するために必要な緊急時情報だけを表示データとして表示部１１に表示する。
【００７１】
また、情報管理部４２が選択する意思決定に必要な情報は、情報管理部４２が緊急時情報に基づいて経時的変化を予測演算し生成した予測データを含んでいる。シミュレーション部４６は、情報管理部４２が収集したプラントデータに基づいてプラントの経時的変化を予測演算してプラント予測データを生成する。情報管理部４２は、シミュレーション部４６が予測演算して得たプラント予測データを表示することができる。
【００７２】
このように、原子力発電プラントにおける緊急時の意思決定支援システムとして用いられる表示装置１０Ａにおいて、過酷事故が発生した場合、情報管理部４２は、プラントシステム３２から必要なプラントデータ（緊急時情報）を収集すると共に、ネットワーク５０から各種の緊急時情報を収集する。そして、情報管理部４２は、収集した各種の緊急時情報に基づいて表示データを生成し、表示部１１は、この表示データを表示する。また、情報管理部４２は、入力機器４４から入力された情報を加工して表示データを生成し、表示部１１は、この表示データを表示する。
【００７３】
特に、本実施形態の表示装置１０（１０Ａ，１０Ｂ，１０Ｃ，１０Ｄ…）は、プラントの設計図に基づき作成された３次元図面を表示部１１に表示させ、かつ３次元図面に入力情報を付加して表示部１１に表示する。
【００７４】
この表示装置１０（１０Ａ，１０Ｂ，１０Ｃ，１０Ｄ…）によれば、３次元図面に入力情報を付加して表示部１１に表示することで、プラントに事故が発生した場合、またはプラントに事故が発生した場合を想定し、３次元図面で表される入力情報に従ってプラント内の経路を通過する模擬を行うことができる。しかも、３次元図面は、高さや幅や長さなどの寸法が把握できるので、正確な模擬を行うことができる。
【００７５】
また、本実施形態の表示装置１０（１０Ａ，１０Ｂ，１０Ｃ，１０Ｄ…）では、前記入力情報は、３次元図面の該当箇所に関わる文字データである。
【００７６】
この表示装置１０（１０Ａ，１０Ｂ，１０Ｃ，１０Ｄ…）によれば、入力情報としての文字データに従ってプラント内の経路を通過する模擬を行うことができる。
【００７７】
また、本実施形態の表示装置１０（１０Ａ，１０Ｂ，１０Ｃ，１０Ｄ…）では、入力情報は、３次元図面の該当箇所を撮影した撮像データである。
【００７８】
この表示装置１０（１０Ａ，１０Ｂ，１０Ｃ，１０Ｄ…）によれば、入力情報としての撮像データに従ってプラント内の経路を通過する模擬を行うことができる。
【００７９】
また、本実施形態の表示装置１０（１０Ａ，１０Ｂ，１０Ｃ，１０Ｄ…）では、入力情報は、３次元図面の該当箇所に関わる音声データである。
【００８０】
この表示装置１０（１０Ａ，１０Ｂ，１０Ｃ，１０Ｄ…）によれば、入力情報としての音声データに従ってプラント内の経路を通過する模擬を行うことができる。
【００８１】
また、本実施形態の表示装置１０（１０Ａ，１０Ｂ，１０Ｃ，１０Ｄ…）では、３次元図面の該当箇所に記号または図形を付加し、当該記号または図形に対して入力情報を関連付ける。
【００８２】
この表示装置１０（１０Ａ，１０Ｂ，１０Ｃ，１０Ｄ…）によれば、入力情報が多数ある場合、記号または図形によりこれらの入力情報をそれぞれ集約することで３次元図面および入力情報を見やすくすることができる。
【００８３】
また、本実施形態の表示装置１０（１０Ａ，１０Ｂ，１０Ｃ，１０Ｄ…）では、入力情報が３次元図面の同じ該当箇所に関わり複数ある場合、３次元図面の該当箇所に記号または図形を付加し、当該記号または図形に関連づけて各入力情報を纏めて付加する。
【００８４】
この表示装置１０（１０Ａ，１０Ｂ，１０Ｃ，１０Ｄ…）によれば、３次元図面の同じ該当箇所に関わり複数ある入力情報を記号または図形により集約することで３次元図面および入力情報を見やすくすることができる。なお、記号または図形としては、例えば、通行方向を矢印で表示したり、温度を重ね合わせて色で表示したり、放射線濃度をグラデーションで重ね合わせ表示したりすることも含む。
【００８５】
また、本実施形態の表示装置１０（１０Ａ，１０Ｂ，１０Ｃ，１０Ｄ…）では、入力情報が３次元図面の同じ該当箇所に関わり複数ある場合、最新の入力情報を上に重ねて表示する。
【００８６】
この表示装置１０（１０Ａ，１０Ｂ，１０Ｃ，１０Ｄ…）によれば、最新の入力情報を見やすくすることができる。
【００８７】
また、本実施形態の表示装置１０（１０Ａ，１０Ｂ，１０Ｃ，１０Ｄ…）では、入力情報が３次元図面の同じ該当箇所に関わり複数ある場合、最新の入力情報のみを表示する。
【００８８】
この表示装置１０（１０Ａ，１０Ｂ，１０Ｃ，１０Ｄ…）によれば、最新の入力情報を見やすくすることができる。
【００８９】
また、本実施形態の表示装置１０（１０Ａ，１０Ｂ，１０Ｃ，１０Ｄ…）では、３次元図面は、入力情報を基に加工したものである。
【００９０】
この表示装置１０（１０Ａ，１０Ｂ，１０Ｃ，１０Ｄ…）によれば、入力情報を基に３次元図面を加工することで、より現実的に入力情報を知らせることができる。また、事故発生時に関わらず、事故発生前においても入力情報を基に３次元図面を加工しておくことで最新情報の更新を行うことができる。
【００９１】
また、本実施形態の表示装置１０（１０Ａ，１０Ｂ，１０Ｃ，１０Ｄ…）では、可搬式端末１３に表示部１３Ａが設けられる。
【００９２】
この表示装置１０（１０Ａ，１０Ｂ，１０Ｃ，１０Ｄ…）によれば、可搬式端末１３をプラント内に持ち込んで実際の経路と３次元図面とを照らし合わせながら経路を進むことができる。
【００９３】
また、本実施形態の表示装置１０（１０Ａ，１０Ｂ，１０Ｃ，１０Ｄ…）では、可搬式端末１３が情報取得部１３Ｃを備える。
【００９４】
この表示装置１０（１０Ａ，１０Ｂ，１０Ｃ，１０Ｄ…）によれば、可搬式端末１３をプラント内に持ち込んで、その状況を情報取得部１３Ｃにより取得することで、最新の情報を取得することができる。
【符号の説明】
【００９５】
１０（１０Ａ，１０Ｂ，１０Ｃ，１０Ｄ）  表示装置
１１  表示部
１２  操作部
１３  可搬式端末
１３Ａ  表示部
１３Ｂ  操作部
１３Ｃ  情報取得部
【図１】
0006667207.tif 000002
【図２】
0006667207.tif 000003
【図３】
0006667207.tif 000004
【図４】
0006667207.tif 000005
【図５】
0006667207.tif 000006
【図６】
0006667207.tif 000007
【図７】
0006667207.tif 000008
【図８】
0006667207.tif 000009
【図９】
0006667207.tif 000010
【図１０】
0006667207.tif 000011